(57)【特許請求の範囲】
【請求項１】
光源装置から出射された光束を変調した後に拡大投写して投写画像を形成するプロジェクタであって、吸込口が前記光源装置の光源ランプを駆動する駆動回路基板側に向いて配置され、前記光源ランプの根本側に集中的に冷却空気の大部分を吐き出すシロッコファンと、前記光源ランプ近傍に配置されて冷却した後の冷却空気を排気する軸流ファンとを備えていることを特徴とするプロジェクタ。
【請求項２】
請求項１に記載のプロジェクタにおいて、前記駆動回路基板は、前記冷却空気の流れ方向に沿って貫通したケース部材内に収容されていることを特徴とするプロジェクタ。
【請求項３】
請求項１または請求項２に記載のプロジェクタにおいて、前記駆動回路基板に隣接して電源回路基板が配置されていることを特徴とするプロジェクタ。
【請求項４】
請求項３に記載のプロジェクタにおいて、前記電源回路基板は、前記シロッコファンと、外部から冷却空気を吸引する別の軸流ファンとの間に配置されていることを特徴とするプロジェクタ。
【請求項５】
請求項１ないし請求項４のいずれかに記載のプロジェクタにおいて、冷却空気を前記光源ランプの前面側に吐き出す別のシロッコファンを備えていることを特徴とするプロジェクタ。
【発明の詳細な説明】
【０００１】
【発明の属する技術分野】
本発明は、光源装置から出射された光束を変調した後に拡大投写して投写画像を形成するプロジェクタに関する。
【０００２】
【従来の技術】
近年、プロジェクタを使用する環境が拡がりつつあり、社内会議や出張先でのプレゼンテーションなどで用いられる他、ＣＡＤ／ＣＡＭ／ＣＡＥのデータを取り込んで拡大投写することで、研究開発部門等での技術検討会に用いられたり、各種セミナーや研修会、さらには視聴覚教育を行う学校の授業でも用いられている。また、ＣＴスキャンやＭＲＩなどの医療画像やデータを投写し、治療法の検討、医療指導などに役立てたり、展示会や大勢が集まるイベントなどを効果的に演出するのにも用いられる。
【０００３】
このように、あるゆる環境でプロジェクタが用いられる現在では、プロジェクタに求められる仕様・機能も様々であり、携帯性を追求した軽量コンパクトモデル、画像品質を追求した高輝度モデルおよび高解像度モデル、各デジタル機器やモバイルツールとの接続を可能にした高機能モデルなどがある。
そして、使用される環境のさらなる拡大が予想されることから、新たな使用環境を想定したより高付加価値のプロジェクタの開発が盛んに行われている。
【０００４】
ところで、いずれのモデルのプロジェクタにも、光源ランプ、電源ユニット、液晶パネルなどの発熱源を冷却空気で冷却する冷却構造が設けられている。具体的には、外装ケースに形成された冷却空気の吸入口から吸気ファンによって冷却空気を吸引し、内部の発熱源を経由して冷却空気を流した後、排気ファンによって外装ケースの排気口から外部に排出している。
【０００５】
【発明が解決しようとする課題】
このようなファンの中でも特に、光源ランプ近傍に設けられた吸気ファンは、他の発熱源を冷却するための吸気ファンもしくは排気ファンよりも大きめのものが用いられており、発熱源の中でも最も高温になり易い光源ランプ全体を大きな風量で確実に冷却するようになっている。このため、光源ランプ冷却用の排気ファンとしては、ロータ径の大きな軸流ファンを用いる場合が多く、ファンの回転による騒音が大きくなるという問題がある。
【０００６】
なお、軸流ファンの代わりにシロッコファンを設け、ファン回転時の騒音を低く抑えることも可能であるが、シロッコファンは軸流ファンに比べて低風圧となり易いため、冷却効率が下がる可能性がある。
【０００７】
本発明の第１の目的は、光源ランプを効率よく冷却できるとともに、騒音を小さく抑えることができるプロジェクタを提供することにある。
【０００８】
一方、光源ランプの他、この光源ランプを駆動するための駆動回路基板も高温になり易い部品の一つである。
しかし、この駆動回路基板は光源ランプに隣接して設けられるので、この駆動回路基板を専用に冷却するファンを設けようとすると、光源ランプ冷却用と併せて大きめのファンが連装されることになり、プロジェクタが大型化し、また騒音が増大してしまう。このため、従来では、プロジェクタの小型化および低騒音化を優先させるために、光源ランプ冷却用の冷却ファンで駆動回路基板をも冷却しており、駆動回路基板および光源ランプをそれぞれ個別のファンで冷却する場合に比して冷却効率が悪いという問題がある。
【０００９】
本発明の第２の目的は、光源ランプの駆動回路基板の他、これに隣接する光源ランプ等の内部部品をも効率的に冷却でき、かつ小型化および低騒音化を促進できるプロジェクタを提供することにある。
【００１０】
【課題を解決するための手段】
本発明のプロジェクタは、光源装置から出射された光束を変調した後に拡大投写して投写画像を形成するプロジェクタであって、吸込口が前記光源装置の光源ランプを駆動する駆動回路基板側に向いて配置され、前記光源ランプの根本側に集中的に冷却空気の大部分を吐き出すシロッコファンと、前記光源ランプ近傍に配置されて冷却した後の冷却空気を排気する軸流ファンとを備えていることを特徴とする。
【００１１】
ここで、「根本側」とは、光出射側に対して反対側をいう。
プロジェクタに多用されるメタルハライドランプ等の光源ランプでは、光源として設定されている発光部分で熱が生じるが、この熱の多くは光源ランプの根本側に伝達され、放熱される。
そこで、本発明では、シロッコファンによって光源ランプの根本側を集中的に冷却するとともに、排気ファンを光源ランプ近傍に設けることで、シロッコファンから吐き出された冷却空気を、光源ランプを冷却しながらスピーディーに流れるようにした。このため、冷却空気の風圧が低圧になり易いシロッコファンを用いた場合でも、光源ランプで発生した熱の冷却空気中への放熱がスムーズに行われるようになり、光源ランプが効率よく冷却される。また、シロッコファンは、従来の軸流ファンに比べて静かであるから、騒音が低いレベルに抑えられる。以上により、本発明の第１の効果が達成される。
【００１２】
なお、本発明では、冷却空気の排気用に軸流ファンを用いているが、このような軸流ファンは、従来から用いられているものでよく、この軸流ファンを用いても、従来のプロジェクタに比して騒音が大きくなることはなく、むしろ、この軸流ファンを光源ランプの近傍に設けることで、前述した作用・効果が確実に得られるようになっている。
【００１３】
本発明のプロジェクタでは、前記シロッコファンは、吸込口が前記光源ランプを駆動する駆動回路基板側に向いて配置されていることが望ましい。
このような構成では、冷却空気は、シロッコファン中に吸い込まれる前に光源ランプを駆動する駆動回路基板を通過するため、光源ランプと駆動回路基板との両方が一つのシロッコファンで効率的に冷却されるようになる。また、駆動回路基板のみを冷却する専用のファンを設ける必要がないので、プロジェクタの小型化が促進される。
【００１４】
本発明のプロジェクタでは、前記駆動回路基板は、前記冷却空気の流れ方向に沿って貫通したケース部材内に収容されていることが望ましい。  このような構成では、冷却空気が流通可能なケース部材内に駆動回路基板を収容するので、このケース部材が駆動回路基板を覆うダクトとしても作用することになる。従って、冷却空気が駆動回路基板に沿って確実に流れ、駆動回路基板の冷却効率が向上する。
【００１５】
本発明のプロジェクタでは、前記駆動回路基板に隣接して電源回路基板が配置されていることが望ましい。
電源回路基板も高温になり易い部品であり、このような電源回路基板を駆動回路基板に隣接させることで、この電源回路基板を冷却する冷却空気の流れが前記シロッコファンの吸引作用で加速されてスムーズとなり、電源回路基板の冷却効率も向上する。
【００１６】
本発明のプロジェクタでは、前記電源回路基板は、前記シロッコファンと、外部から冷却空気を吸引する別の軸流ファンとの間に配置されていることが望ましい。
このような構成では、電源回路基板が吸気用の軸流ファンでも積極的に冷却されるようになり、電源回路の冷却効率がさらに向上する。
【００１７】
本発明のプロジェクタでは、前記シロッコファンと前記排気用の軸流ファンとの間の流路には、当該シロッコファンから吐き出された冷却空気の一部を外部に排気する排気用開口部が設けられていることが望ましい。
このような構成では、シロッコファンと排気用の軸流ファンとの間の流路に排気用開口部を設けるので、シロッコファンから吐き出された冷却空気は、排気用の軸流ファンと排気用開口部とを通してより効率的に排気される。従って、シロッコファンを風量の大きなものにしても、排気用の軸流ファンを大きくして排気効率を高める必用がないから、騒音レベルが低く維持され、しかも、風量の大きなシロッコファンを用いることで光源ランプの冷却効率が一層向上する。
【００１８】
本発明のプロジェクタは、光源装置から出射された光束を変調した後に拡大投写して投写画像を形成するプロジェクタであって、内部冷却用に用いられるシロッコファンは、吸込口が前記光源ランプを駆動する駆動回路基板側に向いて配置されていることを特徴とする。
このような構成によれば、シロッコファンの吸引作用によって生じる冷却空気の流れで駆動回路基板が冷却されるのに加え、シロッコファンから吐き出された冷却空気により、例えば、光源ランプ等の内部部品も冷却可能となる。また、シロッコファンは、従来の大きめの軸流ファンに比べて静かであるから、騒音が低いレベルに抑えられる。そして、光源ランプ等の内部部品を冷却する専用のファンを設ける必用がないので、プロジェクタの小型化が促進される。
【００１９】
本発明のプロジェクタでは、冷却空気を前記光源ランプの前面側（光出射方向の前方側）に吐き出す別のシロッコファンを備えていることが望ましい。
このような構成では、光源ランプの前面側に近接配置配置された光学部品等が良好に冷却されるようになる。
【００２０】
【発明の実施の形態】
以下、本発明の一実施形態を図面に基づいて説明する。
〔１．プロジェクタの主な構成〕
図１は、本実施形態に係るプロジェクタ１を上方から見た全体斜視図、図２は、プロジェクタ１を下方から見た全体斜視図、図３は、プロジェクタ１の内部を示す斜視図である。
図１ないし図３において、プロジェクタ１は、略四角箱状の外装ケース２と、外装ケース２内に収容された電源ユニット３と、同じく外装ケース２内に配置された平面Ｌ字形の光学ユニット４とを備えている。
【００２１】
外装ケース２は、図４に示すように、互いにネジ止めされる合成樹脂製のアッパーケース２１と、アルミニウム等の金属製のロアーケース２２と、同じくアルミニウム等の金属製のフロントケース２３とで構成されている。
【００２２】
アッパーケース２１は、上面部２１１および背面部２１２が一体成形された形状である。
上面部２１１の内部側には、アルミニウム板のパンチング加工による多孔状の第１電磁遮蔽部材２１３が取り外し可能に設けられている。アッパーケース２１の背面部２１２の内部側にも、アルミニウム板からなる第２電磁遮蔽部材２１４が設けられている。第２電磁遮蔽部材２１４は、ロアーケース２２側にネジ止めされている。
【００２３】
ロアーケース２２は、底面部２２１および対向し合う一対の側面部２２２が一体に形成された形状であり、プレスやマシニングセンタ等で加工された所定形状のアルミニウム板等を曲げ加工することで、底面部２２１および側面部２２２が互いに折曲して形成されている。
【００２４】
底面部２２１の前方の両隅部分には、プロジェクタ１全体の傾きを調整して投写画像の位置合わせを行う高さ位置調整機構７が設けられている。これに対して底面部２２１の後方側中央部には、樹脂製のフット部材６（図２）が嵌合しているのみである。
【００２５】
フロントケース２３は、外装ケース２の前面部２３１を形成する部材であり、やはりプレスやマシニングセンタ等で加工された所定形状のアルミニウム板等の曲げ加工あるいは絞り加工によって形成されている。この フロントケース２３には投写レンズ４６に対応して丸孔開口２３２が設けられ、丸孔開口２３２の周辺は絞り加工によって内部側に湾曲している。
【００２６】
このような外装ケース２には、内部に冷却空気を取り入れるための吸気口２Ａ，２Ｂ，２Ｃ、および内部から冷却空気を排出するための排気口２Ｄ，２Ｅの他、操作パネル２Ｆや、スピーカの位置に対応した多数の孔２Ｇ等が設けられている。
【００２７】
電源ユニット３は、外装ケース２（図３）内の前面側に配置された主電源３１と、主電源３１の後方に配置されたバラスト３２とで構成されている。主電源３１は、電源ケーブルを通して供給された電力をバラスト３２や図示しないドライバーボード（電子回路基板）等に供給するものであり、前記電源ケーブルが差し込まれるインレットコネクタ３３（図２）、周囲を囲むアルミニウム製のフレーム３４、電源回路基板３５（図９）等を備えている。
バラスト３２は、電力を主に光学ユニット４の光源ランプ４１１（図５、図９）に供給するものであり、ランプ駆動回路基板３６（図９）を備えている。
【００２８】
光学ユニット４は、図５に示すように、インテグレータ照明光学系４１、色分離光学系４２、リレー光学系４３、電気光学装置４４、色合成光学系としてのクロスダイクロイックプリズム４５、および投写光学系としての投写レンズ４６を備えている。
【００２９】
〔２．光学系の詳細な構成〕
図５において、インテグレータ照明光学系４１は、メタルハライドランプ等の光源ランプ４１１およびリフレクタ４１２を含む光源装置４１３と、第１レンズアレイ４１４と、偏光変換素子４１５と、第２レンズアレイ４１６とを備えている。光源ランプ４１１から射出された光束は、リフレクタ４１２によって集光点に集光するように反射した後、集光点までの途中位置に配置された第１レンズアレイ４１４によって複数の部分光束に分割され、そして、偏光変換素子４１５によって１種類の偏光光に変換され、第２レンズアレイ４１６に入射する。なお、このような偏光変換素子４１５は、例えば特開平８−３０４７３９号公報に紹介されている。
偏光変換素子４１５によって１種類の偏光光に変換された各部分光束は、集光レンズ４１７に集光し、最終的に電気光学装置４４を構成する３枚の光変調装置（ライトバルブ）としての液晶パネル４４１（色光毎に液晶パネル４４１Ｒ，４４１Ｇ，４４１Ｂと示す）上にほぼ重畳される。
【００３０】
色分離光学系４２は、２枚のダイクロイックミラー４２１，４２２と、反射ミラー４２３とを備え、ミラー４２１、４２２によりインテグレータ照明光学系４１から射出された複数の部分光束を赤、緑、青の３色の色光に分離する機能を有している。
【００３１】
リレー光学系４３は、入射側レンズ４３１、リレーレンズ４３３、および反射ミラー４３２、４３４を備え、色分離光学系４２で分離された色光、例えば、青色光を液晶パネル４４１Ｂまで導く機能を有している。
【００３２】
電気光学装置４４は、３枚の光変調装置となる液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。
【００３３】
クロスダイクロイックプリズム４５は、３枚の液晶パネル４４１Ｒ，４４１Ｇ，４４１Ｂから射出された各色光ごとに変調された画像を合成してカラー画像を形成するものである。なお、ダイクロイックプリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、ダイクロイックプリズム４５で合成されたカラー画像は、投写レンズ４６から射出され、スクリーン上に拡大投写される。
【００３４】
以上説明した各光学系４１〜４５は、図６に示す支持体としての合成樹脂製のライトガイド４７に収容される。すなわち、このライトガイド４７には、光源装置４１３を覆う光源保護部４７１の他、前述の各光学部品４１４〜４１６，４２１〜４２３，４３１〜４３４を上方からスライド式に嵌め込む溝部４７２〜４８１が設けられている。ここで、溝部４７３には、一体にユニット化された偏光変換素子４１５および第２レンズアレイ４１６が嵌め込まれる。そして、ライトガイド４７には、図３に示すカバー４８が取り付けられている。
【００３５】
また、ライトガイド４７の光出射側には、アルミニウム製のヘッド板４９（図６、図７）が配置されており、このヘッド板４９の一端側に液晶パネル４４１Ｒ，４４１Ｇ，４４１Ｂが一体に取り付けられたダイクロイックプリズム４５が固定され、他端側の半円筒状部分に沿ったフランジ上に投写レンズ４６が固定されるようになっている。
【００３６】
〔３．冷却構造〕
図１ないし図３において、プロジェクタ１内には、投写レンズ４６脇および外装ケース２底面の吸気口２Ａから吸引された冷却空気が排気口２Ｄから排気される第１冷却系統Ａ、外装ケース２の側面に設けられた吸気口２Ｂから吸引された冷却空気が排気口２Ｅから排気される第２冷却系統Ｂ、外装ケース２の底面に設けられた吸気口２Ｃから吸引された冷却空気が排気口２Ｅから排気される第３冷却系統Ｃが形成されている。
ただし、冷却空気の流れは、上記のような各冷却系統Ａ〜Ｃ毎に明確に分けられるのではなく、実際には、内部部品間の隙間等を通じて冷却系統Ａ〜Ｃ間相互での冷却空気の多少の移動は当然に生じる。
【００３７】
図９に詳細に示すように、第１冷却系統Ａでは、主電源３１の投写レンズ４６側に軸流吸気ファン５１（図３中では一点鎖線で図示）が設けられ、バラスト３２の光源装置４１３側に第１シロッコファン５２が設けられている。この第１シロッコファン５２が本発明に係るシロッコファンであり、吸込口５２１がバラスト３２のランプ駆動回路基板３６側に、吐出口５２２が光源装置４１３側に向けて配置されている。
【００３８】
軸流吸気ファン５１の駆動によって投写レンズ４６脇および吸気口２Ａから吸引された冷却空気は、主電源３１の電源回路基板３５（これに実装された回路部品を含む）を冷却した後に第１シロッコファン５２に吸引される。
【００３９】
また、第１シロッコファン５２の吸引作用によって吸気口２Ａや投写レンズ４６脇から吸引された冷却空気は、ランプ駆動回路基板３６（これに実装された回路部品を含む）を冷却しながら第１シロッコファン５２側に流れ、吸引される。
この際、ランプ駆動回路基板３６は、図３、図１０に示すように、安全対策用の透明な樹脂製のケース部材３７内に収容され、ベース部材３８にスタッド部材（不図示）等を介して固定されており、吸気口２Ａからの冷却空気はこのケース部材３７の一端側の開口から流入し、他端側の開口から流出して第１シロッコファン５２に吸引される。
【００４０】
第１シロッコファン５２から吐き出された冷却空気の一部（図９中のＡ１）は、ライトガイド４７（図３、図６）の後方を抜け、第２電磁遮蔽部材２１４の一方のルーバー２１５を通って外装ケース２の排気口２Ｄから排気される。
【００４１】
そして、第１シロッコファン５２から吐き出された冷却空気の大部分（図９中のＡ２）は、ライトガイド４７に設けられた吸気用切欠部４７１Ａから光源保護部４７１内に入り込んで光源装置４１３の光源ランプ４１１を後方の根本側から集中的に冷却し、排気用切欠部４７１Ｂ（図６）から排気され、第２電磁遮蔽部材２１４の排気用開口部としての他方のルーバー２１５Ａを通って最終的に排気口２Ｄから外装ケース２外に排気される。
【００４２】
さらに、ライトガイド４７の光源保護部４７１内に入り込んだ冷却空気の一部（図９中のＡ３）は、光源装置４１３（光源ランプ４１１）の近傍に設けられた背面側の軸流排気ファン５４で強制的に排出され、排気口２Ｄないし排気口２Ｅ等から排気される。この軸流排気ファン５４が本発明に係る軸流ファンであり、光源ランプ４１１冷却用の冷却空気を光源保護部４７１内に対してスピーディーに流入出させている。
【００４３】
第２冷却系統Ｂでは、図７、図８の断面図に示すように、投写レンズ４６の下側に第２シロッコファン５３が設けられている。この第２シロッコファン５３は、吸気口２Ｂから電気光学装置４４の下方まで冷却空気を導くダクト部材６０（図６）の途中に配置されている。
吸気口２Ｂから吸引された吸気は、ダクト部材６０に導かれて第２シロッコファン５３に吸い込まれ、外装ケース２の底面に沿って吐き出された後、電気光学装置４４を冷却する。この後に冷却空気は、上部に平置き状態で配置された回路基板としての図示しないドライバーボードを冷却しながら軸流排気ファン５４に向かい、この排気ファン５４で排気口２Ｅから排気される。
【００４４】
第３冷却系統Ｃでは、図６中に一点鎖線で示すように、ライトガイド４７の下面における外装ケース２底面の吸気口２Ｃに対応した位置に第３シロッコファン５５が設けられている。吸気口２Ｃは、個々の孔を極力小径とすることで、プロジェクタ１の設置個所上にある塵や埃を吸い込み難くしている。
【００４５】
吸気口２Ｃから第３シロッコファン５５に吸い込まれた冷却空気は、外装ケース２の底面およびライトガイド４７の下面間に形成されるダクト状部分を通って光源装置４１３側に吐き出された後、ライトガイド４７の溝部４７２，４７３に対応して設けられた吸気用開口４７２Ａ、４７３Ａ（図６）に導かれ、この溝部４７２，４７３に配置される前述した第１レンズアレイ４１４、偏光変換素子４１５と第２レンズアレイ４１６とからなるユニットの他、ＵＶフィルタ４１８を下方から上方に向かって冷却する。この後に冷却空気は、カバー４８の排気用開口４８Ａ（図３）から排気され、最終的に背面側の軸流排気ファン５４で排気口２Ｅから排気される。従って、本実施形態では、この第３シロッコファン５５が本発明に係る別のシロッコファンである。
【００４６】
〔４．実施形態の効果〕
(１)プロジェクタ１の冷却機構を構成する第１冷却系統Ａでは、放熱が最も盛んに行われる光源ランプ４１１の根本側を第１シロッコファン５２で集中的に冷却できるうえ、軸流排気ファン５４が光源ランプ４１１の近傍に設けられていることにより、光源ランプ４１１冷却のための冷却空気を、光源ランプ４１１を冷却しながら光源保護部４１７内でスピーディーに流すことができる。このため、冷却空気の風圧が低圧になり易い第１シロッコファン５２を用いた場合でも、光源ランプ４１１で発生した熱の冷却空気中への放熱をスムーズにでき、光源ランプ４１１を効率よく冷却できる。
また、第１シロッコファン５２は、従来の大きめの軸流ファンに比べて格段に静かであるから、騒音を低いレベルに抑えることができる。
【００４７】
(２)第１シロッコファン５２は、吸込口５２１が光源ランプ４１１を駆動するバラスト３２のランプ駆動回路基板３６側に向いて配置されているので、冷却空気を第１シロッコファン５２中に吸い込まれる前にランプ駆動回路基板３６を通過させることができ、それぞれ高温になり易い光源ランプ４１１とランプ駆動回路基板３６との両方を一つの第１シロッコファン５２で効率的に冷却できる。
また、ファンを二つ設けて光源ランプ４１１およびランプ駆動回路基板３６を個別に冷却する必要がないから、プロジェクタ１の小型化を促進できる。
【００４８】
(３)ランプ駆動回路基板３６は、冷却空気の流れ方向に沿って貫通した保護用のケース部材３７内に収容されているが、このケース部材３７がランプ駆動回路基板３６を覆うダクトとしても作用するため、冷却空気をランプ駆動回路基板３６に沿って確実に流すことができ、ランプ駆動回路基板３６の冷却効率を向上させることができる。
【００４９】
このケース部材３７としては、例えば、安全規格上設けられるもので兼用でき、ダクトとして作用する部材を別途設計して設ける必要がなく、これにかかる手間やコストを削減できる。
【００５０】
(４)主電源３１の電源回路基板３５も高温になり易いが、この電源回路基板３５は第１シロッコファン５２で冷却されるランプ駆動回路基板３６に隣接して配置されているので、電源回路基板３５冷却用の冷却空気を第１シロッコファン５２の吸引作用で加速させてスムーズに流すことができ、電源回路基板３５の冷却効率も向上させることができる。
【００５１】
(５)この際、電源回路基板３５は、軸流空気ファン５１で吸引された冷却空気で積極的に冷却されるため、電源回路基板３５の冷却効率をさらに向上させることができる。
【００５２】
(６)プロジェクタ１には、冷却空気を光源ランプ４１１の前面側（光出射方向の前方側）に吐き出す第３シロッコファン５５が設けられているため、光源ランプ４１１の前面側に近接配置配置された第１レンズアレイ４１４や、偏光変換素子４１５と第２レンズアレイ４１６とからなるユニット、およびＵＶフィルタ４１８等の光学部品を良好に冷却できる。
【００５３】
(７)第１シロッコファン５２と軸流排気ファン５４との間の流路には排気用開口部としてのルーバー２１５Ａが設けられているので、第１シロッコファン５２から吐き出された冷却空気を、軸流ファン５４とルーバー２１５とを通してより効率的に排気できる。従って、第１シロッコファン５２を風量の大きなものにしても、軸流排気ファン５４を大きくして排気効率を高める必用がないから、騒音レベルを低く維持しつつ、風量の大きな第１シロッコファン５２を用いることで光源ランプ４１１の冷却効率を一層向上させることができる。  なお、本発明は、前記実施形態に限定されるものではなく、本発明の目的を達成できる他の構成等を含み、以下に示すような変形等も本発明に含まれる。
【００５４】
例えば、前記実施形態の第３冷却系統Ｃでは、吸気口２Ｃから冷却空気を吸引する第３シロッコファン５５が用いられていたが、例えば、第２冷却系統Ｂでの冷却空気の一部をロアーケース２２とライトガイド４７との間を流通させて光源装置４１３の前面側に送り込んでもよい。こうすることで、底面部２２１に設けられた吸気口２Ｃを不要にできるので、プロジェクタ１が載置される面からの塵や埃等の吸い込みを低減でき、光学部品への影響を抑制できる。
【００５５】
前記実施形態では、主電源３１の電源回路基板３５がバラスト３２のランプ駆動回路基板３６に隣接配置されていたが、例えば、投写レンズ４６を左右から挟み込むように主電源３１とバラスト３２とを配置するなどして離間させ、これに応じて各回路基板３５，３６同士も離間させてよく、これらのレイアウト等はその実施にあたって任意に決められてよい。
【００５６】
バラスト３２のランプ駆動回路基板３６はダクトとして作用するケース部材３７内に収容されていたが、このようなケース部材３７は必要に応じて設けられればよく、安全規格上不要であれば省略してもよい。
【００５７】
反対に、安全上不要な場合でも、ダクトを形成する目的でケース部材を設けても勿論よい。
【００５８】
前記第１シロッコファン５２は、吸込口５２１がランプ駆動回路基板３６側に向いて配置されていたが、吸込口５２１を外装ケース２の側面部２２２側に向け、これに対応した部分に吸気口を設けて冷却空気を外部から吸引させた場合でも本発明に含まれる。
【００５９】
前記実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。また、前記実施形態では、光変調装置として液晶パネルを用いていたが、マイクロミラーを用いたデバイスなど、液晶以外の光変調装置を用いても良い。さらに、前記実施形態では、光入射面と光出射面とが異なる透過型の光変調装置を用いていたが、光入射面と光出射面とが同一となる反射型の光変調装置を用いても良い。さらにまた、前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００６０】
【発明の効果】
以上に述べたように、本発明によれば、シロッコファンによって光源ランプの根本側を集中的に冷却するとともに、排気ファンを光源ランプ近傍に設けることで、シロッコファンから吐き出された光源ランプ冷却用の冷却空気をスピーディーに流すようにしたため、冷却空気の風圧が低圧になり易いシロッコファンを用いた場合でも、光源ランプで発生した熱の冷却空気中への放熱をスムーズにでき、光源ランプを効率よく冷却できる。また、シロッコファンは、従来の軸流ファンに比べて静かであるから、騒音を低いレベルに抑えることができるという効果がある。
【図面の簡単な説明】
【図１】本発明の一本実施形態に係るプロジェクタを上方から見た全体斜視図である。
【図２】プロジェクタを下方から見た全体斜視図である。
【図３】プロジェクタの内部を示す斜視図である。
【図４】前記実施形態の外装ケースの分解斜視図である。
【図５】プロジェクタの各光学系を模式的に示す平面図である。
【図６】プロジェクタの光学ユニットの構成部材を示す斜視図である。
【図７】図１の矢印VII−VIIから見た縦断面図である。
【図８】図１の矢印VIII−VIIIから見た縦断面図である。
【図９】前記実施形態の一冷却系統を示す斜視図である。
【図１０】前記実施形態の要部を拡大して示す縦断面図である。
【符号の説明】
１  プロジェクタ
３５  電源回路基板
３６  駆動回路基板側であるランプ駆動回路基板
３７  ケース部材
５２  シロッコファンである第１シロッコファン
５４  軸流ファンである軸流排気ファン
５５  別のシロッコファンである第３シロッコファン
４１１  光源ランプ
５２１  吸込口
【図１】
0004554039.tif 000002
【図２】
0004554039.tif 000003
【図３】
0004554039.tif 000004
【図４】
0004554039.tif 000005
【図５】
0004554039.tif 000006
【図６】
0004554039.tif 000007
【図７】
0004554039.tif 000008
【図８】
0004554039.tif 000009
【図９】
0004554039.tif 000010
【図１０】
0004554039.tif 000011